(57)【要約】【課題】電源の投入、遮断を制御する電源制御装置において、リモコン操作、タイマー動作が併用される場合に使用者が期待する動作を実現すること。【解決手段】スイッチ部１３を介して主電源１５の電力の負荷１６への投入／遮断を制御する電源制御装置において、駆動信号生成部１２は、起動部１１から出力される起動信号に基づいてスイッチ部１３のＯＮ／ＯＦＦを制御するための駆動信号を生成し、待機電源１４は、起動部１１および駆動信号生成部１２に動作電力を供給し、停電監視部１７は、主電源１５の出力を監視した通電信号を生成して起動部１１に出力し、起動部１１は、通電信号に基づいた起動信号を出力する。【選択図】      図１
2005072687.tif 000002
【特許請求の範囲】
【請求項１】
スイッチ部を介して主電源の電力の負荷への投入／遮断を制御する電源制御装置において、
起動信号を出力する起動部と、
前記起動信号に基づいて前記スイッチ部のＯＮ／ＯＦＦを制御するための駆動信号を生成して前記スイッチ部に出力する駆動信号生成部と、
前記起動部および前記駆動信号生成部に動作電力を供給する待機電源と、
前記主電源の出力を監視した通電信号を生成して前記起動部に出力する停電監視部と、
を備え、
前記起動部は、前記通電信号に基づいた前記起動信号を出力することを特徴とする電源制御装置。
【請求項２】
前記起動部は、リモコン受信器と、タイマー装置と、判定手段と、を備え、
前記判定手段は、前記リモコン受信器の出力信号と、前記タイマー装置の出力信号と、前記通電信号と、を用いて前記起動信号を生成することを特徴とする請求項１に記載の電源制御装置。
【請求項３】
スイッチ部を介して主電源の電力の負荷への投入／遮断を制御する電源制御装置において、
起動信号を出力する起動部と、
前記起動信号に基づいて前記スイッチ部のＯＮ／ＯＦＦを制御するための駆動信号を生成して前記スイッチ部に出力する駆動信号生成部と、
前記起動部および前記駆動信号生成部に動作電力を供給する待機電源と、
前記主電源の出力を監視した通電信号を生成して前記駆動信号生成部に出力する停電監視部と、
を備え、
前記駆動信号生成部は、前記通電信号に基づいた前記駆動信号を生成することを特徴とする電源制御装置。
【請求項４】
前記起動部は、タイマー装置と、リモコン受信器と、を備え、
前記駆動信号生成部は、前記リモコン受信器の出力信号と、前記タイマー装置の出力信号と、をさらに用いて前記駆動信号を生成するための判定手段を備えることを特徴とする請求項３に記載の電源制御装置。
【請求項５】
前記待機電源は、一次電池にて構成されることを特徴とする請求項１〜４のいずれか一つに記載の電源制御装置。
【請求項６】
前記待機電源は、二次電池と、該二次電池を充電するための充電制御回路を備えることを特徴とする請求項１〜５のいずれか一つに記載の電源制御装置。
【請求項７】
前記スイッチ部が、自己保持型リレーであることを特徴とする請求項１〜６のいずれか一つに記載の電源制御装置。
【請求項８】
前記自己保持型リレーのリレー接点がＯＦＦ状態にあるか、ＯＮ状態にあるかを確認するための状態表示部をさらに備えることを特徴とする請求項７に記載の電源制御装置。
【請求項９】
前記自己保持型リレーのリレー接点を強制的にＯＮ状態またはＯＦＦ状態にするための手動型起動部をさらに備えることを特徴とする請求項７または８に記載の電源制御装置。
【請求項１０】
前記駆動信号によって前記自己保持型リレーの駆動コイルに前記駆動電流が流れる際に、前記待機電源の出力電圧が瞬間低下するのを防止するための負荷影響分離回路をさらに備えることを特徴とする請求項７〜９のいずれか一つに記載の電源制御装置。
【請求項１１】
タイマー装置およびリモコン受信器を備える起動部からの起動信号に基づいたスイッチ部への制御によって主電源の電力の負荷への投入／遮断を制御する電源制御方法において、
タイマー設定が有効であるか否かを判定する第１のタイマー設定有効判定ステップと、
前記第１のタイマー設定有効判定ステップにより前記タイマー設定が有効でないと判定されたときに前記主電源の出力があるか否かを判定する主電源出力判定ステップと、
前記主電源出力判定ステップにより前記主電源の出力があると判定されたときに、前記リモコン受信器によってＯＮ操作が行われたか否かを判定する第１のリモコン操作判定ステップと、
を含み、
前記第１のリモコン操作判定ステップによる起動信号が出力されたときに、前記スイッチ部をＯＮ状態に設定することを特徴とする電源制御方法。
【請求項１２】
前記第１のリモコン操作判定ステップによる起動信号が出力されたことにより前記スイッチ部がＯＮ状態に設定された後に、
タイマー設定が有効であるか否かを判定する第２のタイマー設定有効判定ステップと、
前記第２のタイマー設定有効判定ステップにより前記タイマー設定が有効でないと判定されたときに、前記リモコン受信器によってＯＦＦ操作が行われたか否かを判定する第２のリモコン操作判定ステップと、
をさらに備え、
前記第２のリモコン操作判定ステップによる起動信号が出力されたときに、前記スイッチ部をＯＦＦ状態に設定することを特徴とする請求項１１に記載の電源制御方法。
【請求項１３】
前記第２のタイマー設定有効判定ステップにより前記タイマー設定が有効であると判定されたときに、
前記タイマー設定を有効と判定した期間がタイマーＯＮ期間であったか否かを判定するタイマーＯＮ期間判定ステップをさらに備え、
前記タイマーＯＮ期間判定ステップによる起動信号が出力されたときに、前記スイッチ部をＯＦＦ状態に設定することを特徴とする請求項１２に記載の電源制御方法。
【請求項１４】
前記第１のタイマー設定有効判定ステップによりタイマー設定が有効であると判定した後に、または前記タイマーＯＮ期間判定ステップによる起動信号が出力されたことにより前記スイッチ部がＯＦＦ状態に設定された後に、または前記タイマーＯＮ期間判定ステップにより前記タイマー設定を有効と判定した期間がタイマーＯＮ期間でないと判定した後に、
タイマーＯＮの時刻になっているかを判定する第１のタイマー時刻判定ステップと、
タイマーＯＦＦの時刻になっているかを判定する第２のタイマー時刻判定ステップと、
をさらに備え、
前記第１のタイマー時刻判定ステップによりタイマーＯＮの時刻になっていると判定されたときに前記スイッチ部をＯＮ状態に設定するための起動信号が出力され、
前記第２のタイマー時刻判定ステップによりタイマーＯＦＦの時刻になっていると判定されたときに前記スイッチ部をＯＦＦ状態に設定するための起動信号が出力されることを特徴とする請求項１３に記載の電源制御方法。
【発明の詳細な説明】
【０００１】
【発明の属する技術分野】
この発明は、電源制御装置および電源制御方法に関するものであり、特に、電源の投入、遮断を制御する電源制御装置および電源制御方法に関するものである。
【０００２】
【従来の技術】
従来から、テレビやＶＣＲなどのオーディオ・ビジュアル機器や、エアコンなどの電力機器においては、リモコン装置を用いた電源（主電源）の投入／遮断制御が行われている。かかる状況の中で、近年、エネルギー消費効率の改善、すなわち省エネルギーを目的とした技術の開示例が多数見られる。例えば、リモコン待機時の無駄な電力を節電するための技術として、スイッチ手段、制御手段（リレーコイル）、マイクロコンピュータ、太陽電池などを備えたリモコン待機電源回路の開示例がある（例えば、特許文献１）。この特許文献１では、制御手段、リモコン受光部、マイクロコンピュータを含む回路系には太陽電池にて変換された電気エネルギーに基づいて電力供給が行われる。
【０００３】
また、電気エネルギーの節約を図るため、リモートコントローラーからの信号を受け取る電子回路の待機電力を省電力化するとともに、省電力化された電池回路を光電池で作動させた省電力化装置の開示例もある（例えば、特許文献２）。この特許文献２では、光電池、電気２重層コンデンサ、ラッチングリレーなどの使用によって省電力化が図られている。
【０００４】
【特許文献１】
実開平５−８００７７号公報
【特許文献２】
特開２０００−２３２７３０号公報
【０００５】
【発明が解決しようとする課題】
しかしながら、上記従来技術によれば、省電力化を目的とする観点からの開示例であり、停電等の不測事態が発生した場合を想定しておらず、その一方で、上記従来技術は、リモコン装置による制御のみを対象としており、タイマー装置などの起動手段による制御を対象としていないので、リモコン装置とタイマー装置とが併用される場合に、停電等の不測事態が発生すると使用者が期待している動作と異なるような動作が行われてしまうという問題点があった。
【０００６】
すなわち、商用電源が停電から復旧したとき、使用者が期待している負荷の電源は、リモコン動作の場合は安全面の観点から、停電復旧時において負荷となる機器が電源ＯＦＦとなるのが好ましい状態である。一方、タイマー動作の場合、使用者は予めＯＮ／ＯＦＦして欲しい時間を認識していて、たまたま停電が重なったとの認識を持っていて、停電中に負荷の電源状態が変化する時間になれば、停電復旧後には予定された状態になることを望んでいる。
【０００７】
上記従来技術による電源制御技術では、上記のような使用者の期待している動作が行われているとは言い難かった。
【０００８】
この発明は、上記に鑑みてなされたものであって、電源の投入、遮断を制御する電源制御装置において、リモコン操作、タイマー動作が併用される場合に、使用者の期待する動作を実現することができる電源制御装置および電源制御方法を得ることを目的とする。
【０００９】
【課題を解決するための手段】
上述した課題を解決し、目的を達成するために請求項１にかかる電源制御装置にあっては、スイッチ部を介して主電源の電力の負荷への投入／遮断を制御する電源制御装置において、起動信号を出力する起動部と、前記起動信号に基づいて前記スイッチ部のＯＮ／ＯＦＦを制御するための駆動信号を生成して前記スイッチ部に出力する駆動信号生成部と、前記起動部および前記駆動信号生成部に動作電力を供給する待機電源と、前記主電源の出力を監視した通電信号を生成して前記起動部に出力する停電監視部と、を備え、前記起動部は、前記通電信号に基づいた前記起動信号を出力することを特徴とする。
【００１０】
請求項３にかかる電源制御装置にあっては、スイッチ部を介して主電源の電力の負荷への投入／遮断を制御する電源制御装置において、起動信号を出力する起動部と、前記起動信号に基づいて前記スイッチ部のＯＮ／ＯＦＦを制御するための駆動信号を生成して前記スイッチ部に出力する駆動信号生成部と、前記起動部および前記駆動信号生成部に動作電力を供給する待機電源と、前記主電源の出力を監視した通電信号を生成して前記駆動信号生成部に出力する停電監視部と、を備え、前記駆動信号生成部は、前記通電信号に基づいた前記駆動信号を生成することを特徴とする。
【００１１】
請求項１１にかかる電源制御方法にあっては、タイマー装置およびリモコン受信器を備える起動部からの起動信号に基づいたスイッチ部への制御によって主電源の電力の負荷への投入／遮断を制御する電源制御方法において、タイマー設定が有効であるか否かを判定する第１のタイマー設定有効判定ステップと、前記第１のタイマー設定有効判定ステップにより前記タイマー設定が有効でないと判定されたときに前記主電源の出力があるか否かを判定する主電源出力判定ステップと、前記主電源出力判定ステップにより前記主電源の出力があると判定されたときに、前記リモコン受信器によってＯＮ操作が行われたか否かを判定する第１のリモコン操作判定ステップと、を含み、前記第１のリモコン操作判定ステップによる起動信号が出力されたときに、前記スイッチ部をＯＮ状態に設定することを特徴とする。
【００１２】
【発明の実施の形態】
以下、この発明にかかる電源制御装置および電源制御方法の実施の形態および実施例を図面に基づいて詳細に説明する。なお、この実施の形態によりこの発明が限定されるものではない。
【００１３】
［実施の形態］
図１は、この発明にかかる電源制御装置の実施の形態の構成を示すブロック図である。同図に示すように、この電源制御装置は、起動部１１、駆動信号生成部１２、待機電源１４、スイッチ部１３および停電監視部１７を備えており、所望のタイミングにてスイッチ部１３を制御することにより、主電源１５からの電力を負荷１６に供給するものである。
【００１４】
つぎに、図１を用いて、この実施の形態にかかる電源制御装置の動作について説明する。同図において、起動部１１および駆動信号生成部１２には、待機電源１４から電力が供給される。待機電源１４としては、乾電池などの一次電池や蓄電池などの二次電池を用いることができる。停電監視部１７は、例えば、商用電源や機器内部の負荷電源回路である主電源１５の出力をモニタし、主電源１５が有効に動作しているか否かを判定した通電信号を起動部１１に出力する。起動部１１は、例えば、タイマー装置や、リモコン受信器を備えており、停電監視部１７から出力された通電信号に基づいて起動信号を生成して駆動信号生成部１２に出力する。駆動信号生成部１２は、スイッチ部１３のスイッチをＯＦＦ状態に設定し、あるいはＯＮ状態に設定するための駆動信号を生成してスイッチ部１３に出力する。スイッチ部１３は、主電源１５の電力の負荷への供給／遮断動作を行う。
【００１５】
なお、スイッチ部１３としては、自己保持型のリレーを用いることが好適である。自己保持型のリレーは、主電源１５の状態を反転（通電から遮断、あるいは遮断から通電）する瞬間のみリレーの駆動回路に通電する、間欠給電を行うことができる。この場合、駆動信号生成部１２は、自己保持型リレーのリレー接点部をメイク（ＯＮ状態に設定）／ブレイク（ＯＦＦ状態に設定）するための駆動出力を生成するだけでよく、消費電力の軽減を図ることができる。また、スイッチ部１３は、自己保持型リレーではなく、低電力で動作可能な回路素子を用いた自己保持型のスイッチング回路として構成しても構わない。
【００１６】
さらに、上述の説明の中で、起動部１１は、停電監視部１７から出力された通電信号に基づいて起動信号を生成することを述べたが、より正確には、タイマー装置からの起動信号が出力される場合と、リモコン受信器からの起動信号が出力される場合とでは、出力動作が異なる。なお、これらの動作については、後述する。
【００１７】
また、この実施の形態では、停電監視部１７の出力である通電信号を起動部１１に出力する構成としているが、この通電信号を駆動信号生成部１２に出力する構成とすることもできる。この場合、駆動信号生成部１２は、起動部１１からの起動信号を受け、停電監視部１７からの通電信号に基づいて所望のタイミングでスイッチ部１３を制御するための駆動信号を生成するように動作する。
【００１８】
以上説明したように、この実施の形態の電源制御装置によれば、スイッチ部を介して主電源の電力の負荷への投入／遮断を制御する電源制御装置において、主電源の出力を監視した通電信号を生成して出力する停電監視部と、停電監視部から出力された通電信号に基づいた起動信号を出力する起動部と、起動信号に基づいてスイッチ部のＯＮ／ＯＦＦを制御するための駆動信号を生成してスイッチ部に出力する駆動信号生成部と、起動部および駆動信号生成部に動作電力を供給する待機電源とを備えているので、スイッチ部のリレー接点をメイク／ブレイクするための駆動出力を生成するだけでよく、消費電力の軽減を図ることができる。
【００１９】
［実施例１］
図２は、この発明にかかる電源制御装置を蛍光灯用点灯装置に用いた場合の具体例（実施例１）の構成を示すブロック図である。この実施例では、街灯を曜日ごとに異なる時刻で点灯／消灯させる場合を想定している。以下、図２を用いてこの実施例の構成および動作について説明する。
【００２０】
まず、この実施例の構成について説明する。図２において、起動装置１８は、タイマー装置１８ａおよびリモコン受信器１８ｂを備えている。これらのタイマー装置１８ａおよびリモコン受信器１８ｂは、リレー駆動回路１９と接続されている。例えば、乾電池である一次電池２１は、負荷影響分離回路２３を介して起動装置１８およびリレー駆動回路１９に接続されている。商用電源などの主電源１５の出力をモニタする停電監視回路２５は、起動装置１８の中のリモコン受信器１８ｂに接続されている。リレー駆動回路１９の先は、主電源１５と蛍光灯用点灯装置である負荷１６とを接続するためのリレー接点部２４ａを備えた自己保持型リレー２４に接続されている。また、自己保持型リレー２４には、リレー接点部２４ａがブレイク状態であるか、メイク状態であるかを目視するための状態表示部２７と、駆動信号が出力されない場合に強制的にリレー接点部２４ａをメイク状態にする手動型起動部２９とが接続されている。
【００２１】
つぎに、この実施例の動作について説明する。図２において、起動装置１８およびリレー駆動回路１９には、負荷影響分離回路２３を介して一次電池２１の電力が供給される。負荷影響分離回路２３は、トランジスタ、ダイオード、コンデンサなどから構成されるアイソレータ回路であり、リレー駆動回路１９からの駆動信号によって駆動電流が流れる際に一次電池２１の出力電圧が瞬間低下するのを防止するために挿入されている。この負荷影響分離回路２３を挿入することにより、タイマー装置１８ａの動作を安定化させることができる。
【００２２】
起動装置１８のタイマー装置１８ａは、街灯の点灯／消灯を行うための情報（例えば、点灯／消灯時刻、曜日や季節などの情報）から起動信号を生成してリレー駆動回路１９に出力する。一方、雨天時などにおいて、早い時間帯から強制的に街灯を点灯させたい場合もある。このような場合には、リモコン操作によって起動装置１８のリモコン受信器１８ｂからも起動信号が出力される。なお、リモコン受信器１８ｂから起動信号が出力されるのは、リモコン受信器１８ｂがＯＮ信号を受信し、かつ、このＯＮ信号の受信時に停電監視回路２５からの通電信号が出力されているときである。この理由については、後述する。
【００２３】
リレー駆動回路１９は、上記のタイマー装置１８ａおよびリモコン受信器１８ｂから出力される起動信号に基づいて、駆動信号を自己保持型リレー２４に出力する。駆動信号が出力された自己保持型リレー２４では、リレー接点部２４ａがメイク状態あるいはブレイク状態のいずれかに制御され、主電源１５からの電力が供給あるいは遮断される。
【００２４】
なお、手動型起動部２９は、駆動信号が出力されない場合にリレー接点部２４ａを強制的にメイク状態にするための起動手段である。例えば、一次電池２１の出力がなくなったり、低下した場合においても、リレーをメイクさせたいときがある。手動型起動部２９によれば、このような場合においても、手動により瞬時にリレーをメイクさせることができ、負荷１６に主電源１５からの電力を供給することができる。
【００２５】
また、一般的な自己保持型リレーでは、リレー接点がメイク状態であるか、ブレイク状態であるかを認識することはできない。特に、大きな電力を制御するような場合や、タイマー装置とリモコン装置とを併用するような場合にあっては、ある時点でのリレー接点の状態が、メイク状態なのか、ブレイク状態なのかを知りたい場合がある。図２に示す状態表示部２７は、この機能を無電力で実現するものであり、その詳細は、後述する。
【００２６】
ところで、図２において、負荷が蛍光灯であるため、この蛍光灯の消灯時に数十〜数百ボルト程度の大きな電圧雑音が発生する。この電圧雑音は、リレー接点で発生し、数ボルトで動作するタイマー装置の安定動作を妨げる雑音となりうる。もし、リレー駆動回路１９と自己保持型リレー２４とを離隔させることができない場合には、この雑音の影響を受ける場合もある。このような場合には、コンデンサやコイルなどからなる開閉雑音分離回路をリレー駆動回路１９と自己保持型リレー２４との間に挿入することで、リレー接点で発生する雑音の影響を減少させることができる。回路的な手段以外にも、例えば、起動装置１８や、リレー駆動回路１９を収容するプリント基板と、自己保持型リレー２４を搭載するプリント基板とを機械的に分離し、電磁シールド、静電シールド等の処置を行うことにより、この雑音の影響を抑制することができる。
【００２７】
また、図２の実施例１では、図１のスイッチ部１３として自己保持型リレー２４を使用している。自己保持型リレー２４は、主電源１５の状態を反転する瞬間のみ自己保持型リレー２４に通電する間欠給電で主電源１５の開閉制御を実行する。この間欠給電により、主電源１５の状態遷移時にリレー駆動電流が短時間の通電駆動で完了するため、リレー駆動回路１９から出力されるリレー駆動電力は軽微な電力で行われる。したがって、従来の電源制御装置において見られるような、主電源の出力電圧を降圧するための電圧変換素子（トランス）や、降圧した出力を安定化させるための抵抗器、コンデンサなどの電圧安定化素子を使用する必要がなく、乾電池などの一次電池の出力を電圧変換せずに直接利用することができる。また、従来のような、電圧変換素子や電圧安定化素子などを使用する必要がないので、これらの素子が常時動作し続ける構成で発生する不要な間接電力の消費を防止することができる。
【００２８】
ところで、自己保持型リレー２４を駆動する電源電圧の要求は、起動装置１８が要求する電圧とは異なるのが一般的である。また、自己保持型リレー２４のリレー接点部２４ａのリレーコイルに印加する電圧は一般的に起動部１１の要求する電圧に比べて大きい。このような場合には、リレー駆動回路１９でリレー駆動電圧を変換（ＤＣ−ＤＣコンバート）し、変換したリレー駆動電圧が自己保持型リレー２４に印加されるような構成とすればよい。なお、ＤＣ−ＤＣコンバートする際には、電圧変換のために間接的な電力消費を伴うが、ＤＣ−ＤＣコンバート機能が動作する時間は、主電源１５の電力が負荷１６に対して供給／遮断状態を切り替える（遷移する）数十ミリ秒の僅かな時間に限定されるので、僅かな消費電力での動作が可能となる。
【００２９】
［実施例２］
図３は、この発明にかかる電源制御装置をオーディオ機器の電源制御に用いた場合の具体例（実施例２）の構成を示すブロック図である。この実施例２では、実施例１とは異なりＯＮ／ＯＦＦの回数は不特定回数である。このため、この使用条件を考慮し、図１の待機電源１４として二次電池で構成し、主電源がＯＮの期間に充電制御回路を介して、この二次電池を充電するように構成している。
【００３０】
まず、この実施例の構成について説明する。図３において、起動装置１８は、タイマー装置１８ａおよびリモコン受信器１８ｂを備えている。これらのタイマー装置１８ａおよびリモコン受信器１８ｂは、リレー駆動回路１９と接続されている。充電制御回路３１に接続された二次電池２２は、負荷影響分離回路２３を介して起動装置１８およびリレー駆動回路１９に接続されている。主電源１５の出力をモニタする停電監視回路２５は、起動装置１８の中のリモコン受信器１８ｂに接続されている。リレー駆動回路１９の先は、オーディオ機器である負荷１６の内部に備えられた自己保持型リレー１６ａに接続されている。一方、負荷１６の内部に備えられた負荷電源回路１６ｂは、二次電池２２の充電制御を行うための充電制御回路３１に接続されている。また、負荷１６の内部に備えられたリレー接点部１６ｃは、自己保持型リレー１６ａによって駆動されるスイッチＡ部と、手動電源スイッチ１６ｄによって「ＯＦＦ」，「ＯＮ」，「ＡＵＴＯ」の３ポジションが切り替えられるスイッチＢ部を有しており、このリレー接点部１６ｃを介して主電源１５と負荷電源回路１６ｂとが接続されている。なお、この手動電源スイッチ１６ｄは、二次電池２２の出力低下などによってリレー駆動回路１９からの駆動信号が出力されず、自己保持型リレー２４が機能しない場合に主電源１５と負荷電源回路１６ｂとを常時接続させるときや、あるいは主電源１５と負荷電源回路１６ｂとを常時切断するときのために設けられている。
【００３１】
上述したように、この実施例の回路は、自己保持型リレーのＯＮ／ＯＦＦの回数が不特定回数であることを考慮して、待機電源に二次電池２２と充電制御回路３１を備える構成としている。したがって、これらの構成の差異点を除いて、実施例１と基本的な構成は同一であり、詳細な動作説明は省略する。
【００３２】
なお、この実施例では、実施例１と同様に、自己保持型リレー１６ａを使用しているので、リレー駆動回路１９から出力されるリレー駆動電力は軽微な電力でよい。また、より安定したリレー動作を行わせるためには、実施例１と同様に、リレー駆動回路１９でリレー駆動電圧を変換（ＤＣ−ＤＣコンバート）し、変換したリレー駆動電圧を自己保持型リレー１６ａに印加するような構成にすればよい。この場合であっても、ＤＣ−ＤＣコンバート機能が動作する時間は、リレー接点部１６ｃが動作する数十ミリ秒の僅かな時間に限定されるので、僅かな消費電力でのリレー動作が可能となる。
【００３３】
また、リレー接点部で発生する電圧雑音が問題となるときは、実施例１と同様に、コンデンサやコイルなどからなる開閉雑音分離回路をリレー駆動回路１９と自己保持型リレー１６ａとの間に挿入したり、電磁シールド、静電シールド等の処置を行うようにすればよい。
【００３４】
［実施の形態の変形例］
図４は、図１に示した実施の形態の変形例を示すブロック図である。図１に示す実施の形態では、停電監視部１７の出力（通電信号）を起動部１１に出力する構成としていた。この場合、この通電信号は、実施例１および２に示すように、起動部１１のリモコン受信器１８ｂに出力され、リモコン受信器１８ｂ内のロジック回路（判定手段）にて通電信号の有無に基づいた判定処理が行われる。また、この場合、図２，３のリレー駆動回路１９には、ロジック回路による判定手段は必要なく、自己保持型リレー２４，１６ａを駆動するための単なる回路でよい。
【００３５】
一方、図４に示す実施の形態では、この通電信号を駆動信号生成部１２に出力するようにしている。この場合、通電信号の有無に基づいた判定処理は、駆動信号生成部１２内のロジック回路などによって行われる。また、この場合、図２，３のリモコン受信器１８ｂ内にロジック回路を組み込む必要はなく、リレー駆動回路１９内にロジック回路を組み込むようにすればよい。
【００３６】
以上説明したように、この実施の形態の電源制御装置によれば、スイッチ部を介して主電源の電力の負荷への投入／遮断を制御する電源制御装置において、主電源の出力を監視した通電信号を生成して出力する停電監視部と、起動信号を出力する起動部と、停電監視部から出力された通電信号に基づいた起動信号を用いてスイッチ部のＯＮ／ＯＦＦを制御するための駆動信号を生成してスイッチ部に出力する駆動信号生成部と、起動部および駆動信号生成部に動作電力を供給する待機電源とを備えているので、スイッチ部のリレー接点をメイク／ブレイクするための駆動出力を生成するだけでよく、消費電力の軽減を図ることができる。
【００３７】
［リモコン操作とタイマー動作とが併用される場合の動作］
図５は、停電時のリモコン操作によるリレーおよび負荷電源の状態を示すタイムチャートであり、図６は、停電時のタイマー動作によるリレーおよび負荷電源の状態を示すタイムチャートである。これらのタイムチャートは、例えば、図３に示す実施例２において、主電源１５の電力が負荷電源回路１６ｂに供給される場合の動作状態を説明するためのものである。具体的には、図５，６（Ａ）は、主電源が通常状態（通電）または停電状態（停電）を示している。また、図５（Ｂ）は、リモコン操作指示の出力信号であり、図６（Ｂ）は、タイマー動作による出力信号である。さらに、図５，６（Ｃ）は、それぞれリレーの状態（メイク：ＯＮ、ブレイク：ＯＦＦ）を示し、同図（Ｄ）は、それぞれ負荷電源状態を示している。
【００３８】
図５，６のタイムチャートによれば、リモコン操作指示によるリレーの状態（負荷電源状態）と、タイマー動作によるリレーの状態（負荷電源状態）とは異なる状態となっている。その理由は、上述したように、主電源が停電から復旧したときに使用者が期待する負荷電源状態が異なるからである。すなわち、主電源が停電から復旧したときに使用者が期待している負荷電源状態は、リモコン操作の場合には安全面などの観点から、停電復旧時において電源ＯＦＦとなる状態を望んでいる。これに対して、タイマー動作の場合には、使用者は予めＯＮ／ＯＦＦして欲しい時間を認識し、たまたま停電が重なったとの認識を持っているので、停電中に負荷の電源状態を変化させる動作が行われていれば、停電復旧後には、その予定された状態になることを望んでいる。
【００３９】
図５，６に示すタイムチャートでは、上記の使用者が期待する状態となるような動作が行われている。すなわち、図５では、主電源供給状況が通電状態の場合には、リモコン操作指示のＯＮ信号が出力されると、リレーの状態がＯＮとなり負荷電源がＯＮの状態となる。また、主電源供給状況が停電の場合では、リモコン操作指示のＯＮ信号が出力されても、リレーの状態がＯＮとならず、負荷電源はＯＦＦの状態となる。これに対して、図６では、主電源供給状況が通電状態、あるいは停電状態にかかわらずタイマー動作信号が出力されると、リレーの状態がＯＮとなる。この場合、負荷電源の状態は、同図（Ｄ）に示すように、停電の場合では電力が供給されないので負荷電源はＯＦＦの状態であるが、停電から復帰すれば、リレーがＯＮの状態なので負荷電源をＯＮの状態にすることができる。
【００４０】
図７は、リモコンとタイマーとを併用したときの状態遷移図である。同図において、ＲＷは初期状態を示している。また、ＲＸ１はタイマー設定が無効の場合であってリレーがＯＦＦの状態を示しており、ＲＸ２は、タイマー設定が無効の場合であってリレーがＯＮの状態を示している。同様に、ＲＹ１はタイマー設定が有効の場合であってリレーがＯＦＦの状態を示しており、ＲＸ２は、タイマー設定が有効の場合であってリレーがＯＮの状態を示している。
【００４１】
つぎに図７を用いて、リモコンとタイマーとが併用された場合の状態遷移のフローについて説明する。なお、状態遷移の移行に関する判断は、図１の起動部１１（あるいは、図２，３のリモコン受信器１８ｂ）内に備えられたロジック回路（判定手段）、あるいは図４の駆動信号生成部１２内に備えられたロジック回路（判定手段）において行われる。
【００４２】
図７において、初期状態（ＲＷ）時に乾電池が挿入された（待機電源が有効）ときには、「ＲＸ１（リレーＯＦＦ）」に遷移する（遷移Ｊ１０１）。この「ＲＸ１（リレーＯＦＦ）」時に、タイマー設定が有効になると「ＲＸ１（リレーＯＦＦ）」に遷移し（遷移Ｌ１０１）、その一方で、リモコン入力があり、かつ、そのリモコン入力が停電状態でないときに行われていれば「ＲＸ２（リレーＯＮ）」に遷移する（遷移Ｌ１０２）。
【００４３】
つぎに、「ＲＸ２（リレーＯＦＦ）」時に、リモコン入力があったときや、主電源が停電したときには、「ＲＸ１（リレーＯＦＦ）」に遷移する（遷移Ｋ１０２，Ｋ１０３）。また、この「ＲＸ２（リレーＯＦＦ）」時に、タイマー設定が有効になると、「ＲＹ１（リレーＯＦＦ）」に遷移する（遷移Ｋ１０１）。
【００４４】
つぎに、「ＲＹ１（リレーＯＦＦ）」時にタイマーが無効となったときには、「ＲＸ１（リレーＯＦＦ）」に遷移し（遷移Ｍ１０１）、その一方で、所定の時刻に達してタイマーがＯＮとなるとき（ＯＮタイマー）には、「ＲＹ２（リレーＯＮ）」に遷移する（遷移Ｍ１０２）。また、「ＲＹ２（リレーＯＮ）」時に、所定の時刻を過ぎてタイマーがＯＦＦとなるとき（ＯＦＦタイマー）には、「ＲＹ１（リレーＯＦＦ）」に遷移し（遷移Ｎ１０３）、その一方で、タイマー設定が無効になると、「ＲＸ１（リレーＯＦＦ）」または「ＲＸ２（リレーＯＮ）」のいずれかに遷移する（遷移Ｎ１０１，Ｎ１０２）。なお、図７において、遷移Ｎ１０２の線を点線で示しているが、この点線は設計事項であることを意味しており、設計仕様によって、遷移Ｎ１０１または遷移Ｎ１０２のいずれかに遷移するように設定されていればよい。
【００４５】
図８は、この発明の実施の形態にかかる電源制御装置におけるリレー制御方法を示すフローチャートである。このフローチャートに示す各ステップは、図１の起動部１１（あるいは、図２，３のリモコン受信器１８ｂ）内に備えられたロジック回路（判定手段）、あるいは図４の駆動信号生成部１２内に備えられたロジック回路（判定手段）において行われる。以下、図８の各ステップについて、詳細に説明する。
【００４６】
図８において、初期状態では、タイマーは設定されておらず、主電源はＯＦＦの状態にある。この初期状態において、まず、タイマー設定が有効であるか否かが判定される（ステップＳ１００）。タイマー設定が有効でない場合（ステップＳ１００：Ｎｏ）には、主電源の出力があるか否かが判定され（ステップＳ１０２）、主電源の出力がない場合（ステップＳ１０２：Ｎｏ）には、ステップＳ１００の処理に戻る。一方、主電源の出力がある場合（ステップＳ１０２：Ｙｅｓ）には、さらに、リモコンによってＯＮされているか否かが判定される（ステップＳ１０４）。リモコンによってＯＮされている場合（ステップＳ１０４：Ｙｅｓ）には、駆動信号生成部１２から駆動信号が出力されてスイッチ部１３のリレーがメイクされ（ステップＳ１０６）、リモコンによってＯＮされていない場合（ステップＳ１０４：Ｎｏ）には、ステップＳ１００の処理に戻る。また、ステップＳ１００の処理において、タイマー設定が有効である場合（ステップＳ１００：Ｙｅｓ）には、ステップＳ１１８の処理に移行する。
【００４７】
ステップＳ１０６の処理でリレーがメイクされた後、ステップＳ１０８において、タイマーの設定が有効であるか否かが判定される（ステップＳ１０８）。タイマー設定が有効である場合（ステップＳ１０８：Ｙｅｓ）には、さらに、タイマー設定を有効と判定した期間がタイマーＯＮ期間であったか否かが判定され（ステップＳ１１０）、タイマーＯＦＦ期間であった場合（ステップＳ１１０：Ｙｅｓ）には、駆動信号が出力されてリレーがブレイクされ（ステップＳ１１２）、ステップＳ１１８の処理に移行する。一方、タイマー設定を有効と判定した期間がタイマーＯＮ期間でなかった場合（ステップＳ１１０：Ｎｏ）には、リレー処理が行われずにステップＳ１１８の処理に移行する。
【００４８】
また、ステップＳ１０８の処理において、タイマー設定が有効でない場合（ステップＳ１０８：Ｎｏ）には、さらに、リモコンによってＯＦＦされているか否かが判定される（ステップＳ１１４）。リモコンによってＯＦＦされていない場合（ステップＳ１１４：Ｎｏ）には、ステップＳ１０８の処理に戻り、タイマー設定が有効になるまでの処理待ちの状態となる。一方、リモコンがＯＦＦされている場合（ステップＳ１１４：Ｙｅｓ）には、駆動信号が出力されてリレーがブレイクされ（ステップＳ１１６）、ステップＳ１００の処理に戻る。
【００４９】
つぎに、ステップＳ１１８の処理において、タイマーＯＮの時刻になっているか否かが判定され（ステップＳ１１８）、タイマーＯＮの時刻になっている場合（ステップＳ１１８：Ｙｅｓ）には、駆動信号が出力されてリレーがメイクされ（ステップＳ１２２）、ステップＳ１２４の処理に移行する。一方、タイマーＯＮの時刻になっていない場合（ステップＳ１１８：Ｎｏ）には、さらに、タイマー設定が解除されているか否かがが判定され（ステップＳ１２０）、タイマー設定が解除されている場合（ステップＳ１２０：Ｙｅｓ）には、ステップＳ１００の処理に戻り、他方、タイマー設定が解除されていない場合（ステップＳ１２０：Ｎｏ）には、ステップＳ１１８の処理に戻って、タイマーＯＮの時刻になるまでの処理待ちの状態となる。
【００５０】
また、ステップＳ１２２でリレーがメイクされた後、タイマーＯＦＦの時刻になっているか否かが判定され（ステップＳ１２４）、タイマーＯＦＦの時刻になっている場合（ステップＳ１２４：Ｙｅｓ）には、駆動信号が出力されてリレーがブレイクされ（ステップＳ１２８）、ステップＳ１００の処理に戻る。一方、タイマーＯＦＦの時刻になっていない場合（ステップＳ１２４：Ｎｏ）には、さらに、タイマー設定が解除されているか否かがが判定され（ステップＳ１２６）、タイマー設定が解除されていない場合（ステップＳ１２６：Ｎｏ）には、ステップＳ１２４の処理に戻って、タイマーＯＦＦの時刻になるまでの処理待ちの状態となる。他方、タイマー設定が解除されている場合（ステップＳ１２６：Ｙｅｓ）には、リレーブレイク（ステップＳ１２８）の処理後にステップＳ１００の処理に戻るか、あるいはリレーブレイク処理を行わずにステップＳ１００の処理に戻るかの、いずれかの処理が行われる。なお、このステップＳ１２６の処理は、図７のところでも説明した状態遷移と関係しており、図７の状態遷移Ｎ１０１に対応する処理が、図８のステップＳ１２６（Ｙｅｓ）の処理に対応し、図７の状態遷移Ｎ１０２に対応する処理が、図８のステップＳ１２６（Ｎｏ）の処理に対応している。
【００５１】
図９は、図２に示す状態表示部２７の表示機能を模式的に示す説明図である。同図の紙面左側部分は、リレー内部をある方向から見たリレー内部正面図であり、紙面右側部分は、このリレー内部正面図に向かって紙面右手方向からリレーを見たリレー側面図である。図９に示すように、リレーの内部にあり、接点を機械的に駆動する可動磁気回路（図中の可動片）の一端に状態表示板が取り付けられ、この状態表示板に記された表示マークを目視するための目視窓がリレーの外装ケース（筐体）に設けられている。
【００５２】
自己保持型リレーは、接点開閉時以外はコイルを駆動する電流がないので、接点の状態がブレイク状態にあるのか、メイク状態にあるのかを確認することができない。しかしながら、この状態表示部では、接点がＯＮのときには、可動片の位置がＢ状態であり、監視視点から表示マークを目視することができ、接点がＯＦＦのときには、可動片の位置がＡ状態であり、監視視点から表示マークを目視することができないので、表示マークが目視できるか否かによって、リレー状態を表示することができる。このように、上述の状態表示機能が自己保持型リレーに付加された状態表示部によって、電力を使用することなく、リレーの状態を表示する機能を実現することができる。
【００５３】
なお、図９に示した可動片の位置とリレー接点の状態との関係は一例を示したものであり、図９とは逆に、接点がＯＮの場合に可動片の位置がＡ状態にあり、接点がＯＦＦの場合に可動片の位置がＢ状態にあってもよい。また、これらの状態表示に拘束されるものでもなく、リレー接点の状態が視認できる機構であれば、他のいかなる機構であってもよい。
【００５４】
また、図９に示した状態表示部２７の表示機能では、目視窓をリレーの外装ケース（筐体）に設ける構成にしているが、この構成に拘束されるものではない。一例を挙げれば、リレーのケースは透明であって、オーディオ機器のケースに設けられた窓から、リレー接点の状態が確認できるような構成であってもよい。要は、リレー接点の状態は外部から視認できる構成であれば、どのような構成であっても構わない。
【００５５】
以上説明したように、この実施の形態の電源制御方法によれば、タイマー装置およびリモコン受信器を備える起動部からの起動信号に基づいたスイッチ部への制御によって主電源の電力の負荷への投入／遮断を制御する電源制御方法において、タイマー設定が有効であるか否かを判定する第１のタイマー設定有効判定ステップと、第１のタイマー設定有効判定ステップによりタイマー設定が有効でないと判定されたときに主電源の出力があるか否かを判定する主電源出力判定ステップと、主電源出力判定ステップにより主電源の出力があると判定されたときに、リモコン受信器によってＯＮ操作が行われたか否かを判定する第１のリモコン操作判定ステップとを含み、第１のリモコン操作判定ステップによる起動信号が出力されたときに、スイッチ部をＯＮ状態に設定するようにしているので、リモコン操作、タイマー動作が併用される場合であっても、停電復旧時、使用者の期待する状態を実現することができる。
【図面の簡単な説明】
【図１】この発明にかかる電源制御装置の実施の形態の構成を示すブロック図である。
【図２】この発明にかかる電源制御装置を蛍光灯用点灯装置に用いた場合の具体例（実施例１）の構成を示すブロック図である。
【図３】この発明にかかる電源制御装置をオーディオ機器の電源制御に用いた場合の具体例（実施例２）の構成を示すブロック図である。
【図４】図１に示した実施の形態の変形例を示すブロック図である。
【図５】停電時のリモコン操作によるリレーおよび負荷電源の状態を示すタイムチャートである。
【図６】停電時のタイマー動作によるリレーおよび負荷電源の状態を示すタイムチャートである。
【図７】リモコンとタイマーとを併用したときの状態遷移図である。
【図８】この発明の実施の形態にかかる電源制御装置におけるリレー制御方法を示すフローチャートである。
【図９】図２に示す状態表示部２７の表示機能を模式的に示す説明図である。
【符号の説明】
１１  起動部
１２  駆動信号生成部
１３  スイッチ部
１４  待機電源
１５  主電源
１６  負荷
１６ａ，２４  自己保持型リレー
１６ｂ  負荷電源回路
１６ｃ  リレー接点部
１６ｄ  手動電源スイッチ
１７  停電監視部
１８  起動装置
１８ａ  タイマー装置
１８ｂ  リモコン受信器
１９  リレー駆動回路
２１  一次電池
２２  二次電池
２３  負荷影響分離回路
２４ａ  リレー接点部
２５  停電監視回路
２７  状態表示部
２９  手動型起動部
３１  充電制御回路
【図１】
2005072687.tif 000003
【図２】
2005072687.tif 000004
【図３】
2005072687.tif 000005
【図４】
2005072687.tif 000006
【図５】
2005072687.tif 000007
【図６】
2005072687.tif 000008
【図７】
2005072687.tif 000009
【図８】
2005072687.tif 000010
【図９】
2005072687.tif 000011